【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
第１のシロキサン骨格と、第２のシロキサン骨格と、前記第１のシロキサン骨格のケイ素原子と前記第２のシロキサン骨格のケイ素原子とを架橋する少なくとも１つの分子内構造と、を含む架橋アミノシロキサンポリマーであって、前記分子内構造が化学構造：
【化１】
2017518410.tif 000001
［式中、Ｘは下記の基：
【化２】
2017518410.tif 000002
（式中、それぞれのＲは独立して炭素数１〜１０の炭化水素基であり、それぞれのＲ１は独立して炭素数１〜１０の炭化水素基であり、それぞれのＲ２は独立して水素原子、ＯＨ、炭素数１〜１２の炭化水素基、フェニル基、Ｒ’（ＯＲ”）ｍ、又はＲ’ＯＨであり、Ｒ’及びＲ”のそれぞれは独立してアルキル基であり、かつ「ｍ」は１〜３であり、かつ、「ａ」は０又は１である）から選択される］を有する、架橋アミノシロキサンポリマー。
【請求項２】
化学構造：
【化３】
2017518410.tif 000003
［式中、Ｘ’は下記の基：
【化４】
2017518410.tif 000004
（式中、Ｒ、Ｒ１、Ｒ２及び「ａ」のそれぞれは前記のとおりであり、Ｒ５〜Ｒ２２のそれぞれは独立して水素原子、炭素数１〜１２の炭化水素基、炭素数２〜３０のアルケニル基、炭素数６〜１２の芳香族基、Ｒ’（ＯＲ”）ｍ、又はポリアルキレンオキシ基であり、Ｒ’、Ｒ”、及び「ｍ」のそれぞれは前記のとおりであり、「ｂ」及び「ｄ」のそれぞれは独立して１〜１００であり、かつ「ｃ」及び「ｅ」のそれぞれは独立して１〜３，０００である）から選択される］を有する、請求項１に記載の架橋アミノシロキサンポリマー。
【請求項３】
前記第１のシロキサン骨格が、化学構造：
【化５】
2017518410.tif 000005
［式中、Ｒ５〜Ｒ１３のそれぞれは独立して水素原子、炭素数１〜１２の炭化水素基、炭素数２〜３０のアルケニル基、炭素数６〜１２の芳香族基、Ｒ’（ＯＲ”）ｍ、又はポリアルキレンオキシ基であり、Ｒ’及びＲ”のそれぞれは独立してアルキル基であり、かつ「ｍ」は１〜３であり、「ｂ」は１〜１００であり、「ｃ」は１〜３，０００であり、かつ「Ｌ」は前記分子内構造である］を有する、請求項１に記載の架橋アミノシロキサンポリマー。
【請求項４】
前記第２のシロキサン骨格が、化学構造：
【化６】
2017518410.tif 000006
［式中、Ｒ１４〜Ｒ２２のそれぞれは独立して水素原子、炭素数１〜１２の炭化水素基、炭素数２〜３０のアルケニル基、炭素数６〜１２の芳香族基、Ｒ’（ＯＲ”）ｍ、又はポリアルキレンオキシ基であり、Ｒ’及びＲ”のそれぞれは独立してアルキル基であり、かつ「ｍ」は１〜３であり、「ｄ」は１〜１００であり、「ｅ」は１〜３，０００であり、かつ「Ｌ」は前記分子内構造である］を有する、請求項１に記載の架橋アミノシロキサンポリマー。
【請求項５】
アミノ基を有するポリオルガノシロキサンと、
α，β−不飽和カルボン酸アミド基を有するポリオルガノシロキサンと、の反応生成物を含む、請求項１に記載の架橋アミノシロキサンポリマー。
【請求項６】
アミノ基を有する前記ポリオルガノシロキサンが、化学式：
【化７】
2017518410.tif 000007
［式中、Ｒ、Ｒ１、Ｒ２及び「ａ」のそれぞれは前記のとおりであり、Ｒ５〜Ｒ１３のそれぞれは独立して水素原子、炭素数１〜１２の炭化水素基、炭素数２〜３０のアルケニル基、炭素数６〜１２の芳香族基、Ｒ’（ＯＲ”）ｍ、又はポリアルキレンオキシ基であり、Ｒ’、Ｒ”、及び「ｍ」のそれぞれは前記のとおりであり、「ｂ」は１〜１００であり、かつ「ｃ」は１〜３，０００である］を有する、請求項５に記載の架橋アミノシロキサンポリマー。
【請求項７】
α，β−不飽和カルボン酸アミド基を有する前記ポリオルガノシロキサンが、下記の化学式：
【化８】
2017518410.tif 000008
［式中、Ｒ、Ｒ１、Ｒ２、「ａ」、Ｒ５〜Ｒ１３、「ｂ」、及び「ｃ」のそれぞれは前記のとおりである］の１つを有する、請求項５に記載の架橋アミノシロキサンポリマー。
【請求項８】
α，β−不飽和カルボン酸アミド基を有する前記ポリオルガノシロキサンが、
アミノ基を有する第２のポリオルガノシロキサンと、
無水マレイン酸及び／又は無水イタコン酸と、の反応生成物である、請求項７に記載の架橋アミノシロキサンポリマー。
【請求項９】
前記無水マレイン酸及び／又は前記無水イタコン酸が、前記第２のオルガノポリシロキサンの前記アミノ基の１モル当たり約０．０１〜約０．３３モルの量で反応する、請求項８に記載の架橋アミノシロキサンポリマー。
【請求項１０】
ｉ）Ｒは独立して炭素数１〜６の炭化水素基であり、
ｉｉ）「ａ」は１であり、又は
ｉｉｉ）ｉ）及びｉｉ）の両方である、請求項１に記載の架橋アミノシロキサンポリマー。
【請求項１１】
化粧料組成物、布地処理組成物、繊維処理組成物、ヘアケア組成物、繊維ケア組成物、及びこれらの組合せから選択される、請求項１に記載の架橋アミノシロキサンポリマーを含む組成物。
【請求項１２】
架橋アミノシロキサンポリマーを生成する方法であって、
アミノ基を有するポリオルガノシロキサンを提供する工程と、
無水マレイン酸及び／又は無水イタコン酸と、を提供する工程と、
前記無水マレイン酸及び／又は前記無水イタコン酸と、アミノ基を有する前記ポリオルガノシロキサンとを混合して前記架橋アミノシロキサンポリマーを生成する工程と、を含み、
前記架橋アミノシロキサンポリマーが、第１のシロキサン骨格と、第２のシロキサン骨格と、前記第１のシロキサン骨格のケイ素原子と前記第２のシロキサン骨格のケイ素原子とを架橋する少なくとも１つの分子内構造と、を含み、前記分子内構造が化学構造：
【化９】
2017518410.tif 000009
［式中、Ｘは下記の基：
【化１０】
2017518410.tif 000010
（式中、それぞれのＲは独立して炭素数１〜１０の炭化水素基であり、それぞれのＲ１は独立して炭素数１〜１０の炭化水素基であり、それぞれのＲ２は独立して水素原子、ＯＨ、炭素数１〜１２の炭化水素基、フェニル基、Ｒ’（ＯＲ”）ｍ、又はＲ’ＯＨであり、Ｒ’及びＲ”のそれぞれは独立してアルキル基であり、かつ「ｍ」は１〜３であり、かつ、「ａ」は０又は１である）から選択される］を有する、方法。
【請求項１３】
アミノ基を有する前記ポリオルガノシロキサンと、前記無水マレイン酸及び／又は前記無水イタコン酸とを、約−２０℃から約１００℃までの温度に加熱する工程を更に含む、請求項１２に記載の方法。
【請求項１４】
前記無水マレイン酸及び／又は前記無水イタコン酸を提供する工程が、前記ポリオルガノシロキサンのアミノ基１モル当たり約０．０１〜約０．３３モルの前記無水マレイン酸及び／又は前記無水イタコン酸を提供する工程として更に規定される、請求項１２に記載の方法。
【請求項１５】
前記無水マレイン酸及び／又は前記無水イタコン酸が、アミノ基を有する前記ポリオルガノシロキサンと反応し、α，β−不飽和カルボン酸アミド基を有するポリオルガノシロキサンを生成する、請求項１２に記載の方法。
【請求項１６】
前記第２のシロキサン骨格が、化学構造：
【化１１】
2017518410.tif 000011
［式中、Ｒ１４〜Ｒ２２のそれぞれは独立して水素原子、炭素数１〜１２の炭化水素基、炭素数２〜３０のアルケニル基、炭素数６〜１２の芳香族基、Ｒ’（ＯＲ”）ｍ、又はポリアルキレンオキシ基であり、Ｒ’及びＲ”のそれぞれは独立してアルキル基であり、かつ「ｍ」は１〜３であり、「ｄ」は１〜１００であり、「ｅ」は１〜３，０００であり、かつ「Ｌ」は前記分子内構造である］を有する、請求項３に記載の架橋アミノシロキサンポリマー。
【請求項１７】
α，β−不飽和カルボン酸アミド基を有する前記ポリオルガノシロキサンが、下記の化学式：
【化１２】
2017518410.tif 000012
［式中、Ｒ、Ｒ１、Ｒ２、「ａ」、Ｒ５〜Ｒ１３、「ｂ」、及び「ｃ」のそれぞれは前記のとおりである］の１つを有する、請求項６に記載の架橋アミノシロキサンポリマー。
【請求項１８】
α，β−不飽和カルボン酸アミド基を有する前記ポリオルガノシロキサンが、
アミノ基を有する第２のポリオルガノシロキサンと、
無水マレイン酸及び／又は無水イタコン酸と、の反応生成物である、請求項１７に記載の架橋アミノシロキサンポリマー。
【請求項１９】
前記無水マレイン酸及び／又は前記無水イタコン酸が、前記第２のオルガノポリシロキサンの前記アミノ基の１モル当たり約０．０１〜約０．３３モルの量で反応する、請求項１８に記載の架橋アミノシロキサンポリマー。
【請求項２０】
前記無水マレイン酸及び／又は前記無水イタコン酸を提供する工程が、前記ポリオルガノシロキサンのアミノ基１モル当たり約０．０１〜約０．３３モルの前記無水マレイン酸及び／又は前記無水イタコン酸を提供する工程として更に規定される、請求項１３に記載の方法。